【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
案内情報を提供する案内情報提供装置であって、
複数の地域を地図上に表す地域情報であって、前記地域毎に複数の地物が対応付けられている地域情報を取得する手段と、
出発地から目的地に至る経路を探索する手段と、
前記地域情報によって前記地図上に表される前記複数の地域のうち、前記経路に基づく前記地図上の範囲に少なくとも一部が重複する地域を、注目地域として選択する手段と、
前記注目地域を報知する手段と
を備える案内情報提供装置。
【請求項２】
請求項１に記載の案内情報提供装置であって、更に、
前記注目地域に対応付けられている少なくとも一つの地物を経由地物として決定する手段と、
前記出発地から前記経由地物を経由して前記目的地に至る経路を再探索する手段と、
前記再探索された経路を報知する手段と
を備える案内情報提供装置。
【請求項３】
前記地域情報によって表される前記地域は、前記地図を管理するためのメッシュ領域を単位に定義された前記地図上の領域、および、一本の線によって囲まれた形状を成す前記地図上の領域、の少なくとも一方に対応する請求項１または請求項２に記載の案内情報提供装置。
【請求項４】
案内情報を提供する機能をコンピュータに実現させるためのプログラムであって、
複数の地域を地図上に表す地域情報であって、前記地域毎に複数の地物が対応付けられている地域情報を取得する機能と、
出発地から目的地に至る経路を探索する機能と、
前記地域情報によって前記地図上に表される前記複数の地域のうち、前記経路に基づく前記地図上の範囲に少なくとも一部が重複する地域を、注目地域として選択する機能と、
前記注目地域を報知する機能と
を実現するためのプログラム。
【請求項５】
請求項４に記載のプログラムであって、更に、
前記注目地域に対応付けられている少なくとも一つの地物を経由地物として決定する機能と、
前記出発地から前記経由地物を経由して前記目的地に至る経路を再探索する機能と、
前記再探索された経路を報知する機能と
を実現させるためのプログラム。
【請求項６】
前記地域情報によって表される前記地域は、前記地図を管理するためのメッシュ領域を単位に定義された前記地図上の領域、および、一本の線によって囲まれた形状を成す前記地図上の領域、の少なくとも一方に対応する請求項４または請求項５に記載のプログラム。
【請求項７】
コンピュータによって案内情報を提供する案内情報提供方法であって、
前記コンピュータが、複数の地域を地図上に表す地域情報であって、前記地域毎に複数の地物が対応付けられている地域情報を取得し、
前記コンピュータが、出発地から目的地に至る経路を探索し、
前記コンピュータが、前記地域情報によって前記地図上に表される前記複数の地域のうち、前記経路に基づく前記地図上の範囲に少なくとも一部が重複する地域を、注目地域として選択し、
前記コンピュータが、前記注目地域を報知する、案内情報提供方法。
【請求項８】
案内情報を提供する案内情報提供システムであって、
ネットワークを介して相互に接続されたサーバ装置および端末装置を備え、
前記サーバ装置は、
複数の地域を地図上に表す地域情報であって、前記地域毎に複数の地物が対応付けられている地域情報を取得する手段と、
前記端末装置からの要求に基づいて、出発地から目的地に至る経路を探索する手段と、
前記地域情報によって前記地図上に表される前記複数の地域のうち、前記経路に基づく前記地図上の範囲に少なくとも一部が重複する地域を、注目地域として選択する手段と、
前記経路および前記注目地域を示す経路情報を前記端末装置に送信する手段と
を含み、
前記端末装置は、
前記サーバ装置から前記経路情報を受信する手段と、
前記サーバ装置から受信した前記経路情報を報知する手段と
を含む、案内情報提供システム。
【請求項９】
ネットワークを介して相互に接続されたサーバ装置および端末装置を備えるシステムにおいて案内情報を提供する案内情報提供方法であって、
前記サーバ装置が、複数の地域を地図上に表す地域情報であって、前記地域毎に複数の地物が対応付けられている地域情報を取得し、
前記サーバ装置が、前記端末装置からの要求に基づいて、出発地から目的地に至る経路を探索し、
前記サーバ装置が、前記地域情報によって前記地図上に表される前記複数の地域のうち、前記経路に基づく前記地図上の範囲に少なくとも一部が重複する地域を、注目地域として選択し、
前記サーバ装置が、前記経路および前記注目地域を示す経路情報を前記端末装置に送信し、
前記端末装置が、前記サーバ装置から前記経路情報を受信し、
前記端末装置が、前記サーバ装置から受信した前記経路情報を報知する、案内情報提供方法。
【請求項１０】
案内情報を提供する端末装置であって、
複数の地域を地図上に表す地域情報であって、前記地域毎に複数の地物が対応付けられている地域情報にアクセス可能なサーバ装置に、出発地から目的地に至る経路の探索を要求する手段と、
前記地域情報によって前記地図上に表される前記複数の地域のうち、前記経路に基づく前記地図上の範囲に少なくとも一部が重複する地域を前記経路と共に示す経路情報を、前記サーバ装置から受信する手段と、
前記サーバ装置から受信した前記経路情報を報知する手段と
を備える端末装置。
【請求項１１】
コンピュータによって案内情報を提供する案内情報提供方法であって、
前記コンピュータが、複数の地域を地図上に表す地域情報であって、前記地域毎に複数の地物が対応付けられている地域情報にアクセス可能なサーバ装置に、出発地から目的地に至る経路の探索を要求し、
前記コンピュータが、前記地域情報によって前記地図上に表される前記複数の地域のうち、前記経路に基づく前記地図上の範囲に少なくとも一部が重複する地域を前記経路と共に示す経路情報を、前記サーバ装置から受信し、
前記コンピュータが、前記サーバ装置から受信した前記経路情報を報知する、案内情報提供方法。
【請求項１２】
案内情報を提供する機能をコンピュータに実現させるためのプログラムであって、
複数の地域を地図上に表す地域情報であって、前記地域毎に複数の地物が対応付けられている地域情報にアクセス可能なサーバ装置に、出発地から目的地に至る経路の探索を要求する機能と、
前記地域情報によって前記地図上に表される前記複数の地域のうち、前記経路に基づく前記地図上の範囲に少なくとも一部が重複する地域を前記経路と共に示す経路情報を、前記サーバ装置から受信する機能、
前記サーバ装置から受信した前記経路情報を報知する機能と
を実現させるための案内情報提供方法。
【手続補正２】
【補正対象書類名】明細書
【補正対象項目名】発明の名称
【補正方法】変更
【補正の内容】
【発明の名称】案内情報提供装置、プログラム、案内情報提供方法、案内情報提供システムおよび端末装置
【手続補正３】
【補正対象書類名】明細書
【補正対象項目名】０００６
【補正方法】変更
【補正の内容】
【０００６】
本発明は、以下の形態又は適用例として実現することが可能である。
第１の形態である案内情報提供装置は、案内情報を提供する案内情報提供装置であって、複数の地域を地図上に表す地域情報であって、前記地域毎に複数の地物が対応付けられている地域情報を取得する手段と、出発地から目的地に至る経路を探索する手段と、前記地域情報によって前記地図上に表される前記複数の地域のうち、前記経路に基づく前記地図上の範囲に少なくとも一部が重複する地域を、注目地域として選択する手段と、前記注目地域を報知する手段とを備えることを特徴とする。
第２の形態である案内情報提供システムは、案内情報を提供する案内情報提供システムであって、ネットワークを介して相互に接続されたサーバ装置および端末装置を備え、前記サーバ装置は、複数の地域を地図上に表す地域情報であって、前記地域毎に複数の地物が対応付けられている地域情報を取得する手段と、前記端末装置からの要求に基づいて、出発地から目的地に至る経路を探索する手段と、前記地域情報によって前記地図上に表される前記複数の地域のうち、前記経路に基づく前記地図上の範囲に少なくとも一部が重複する地域を、注目地域として選択する手段と、前記経路および前記注目地域を示す経路情報を前記端末装置に送信する手段とを含み、前記端末装置は、前記サーバ装置から前記経路情報を受信する手段と、前記サーバ装置から受信した前記経路情報を報知する手段とを含むことを特徴とする。
第３の形態である端末装置は、案内情報を提供する端末装置であって、複数の地域を地図上に表す地域情報であって、前記地域毎に複数の地物が対応付けられている地域情報にアクセス可能なサーバ装置に、出発地から目的地に至る経路の探索を要求する手段と、前記地域情報によって前記地図上に表される前記複数の地域のうち、前記経路に基づく前記地図上の範囲に少なくとも一部が重複する地域を前記経路と共に示す経路情報を、前記サーバ装置から受信する手段と、前記サーバ装置から受信した前記経路情報を報知する手段とを備えることを特徴とする。